(57)【要約】【課題】室内空間を仕切る間仕切り１が、天井面Ｈにまでは至らない自立型のものであっても、左右方向中間部位に袖パネル部を設けることなく補強できるようにする。【解決手段】間仕切り１の左右方向中間部位に設けた縦支柱３に、該縦支柱３に設けた縦枠材５の見付け面５ｃに当接するようにして補強縦支柱１８をビス固定し、該補強縦支柱１８にさらに補強縦枠材１９を取り付けて補強縦材１７を形成することで、間仕切り１の補強をするようにする。【選択図】図４
2020105861.tif 000002
【特許請求の範囲】
【請求項１】
左右方向に間隔を存する状態で床面側から立設する複数の縦支柱と、該縦支柱に支持される状態で設けられる横架材と、これら縦支柱、横架材に組み付けられる縦横の枠材と、これら縦横の枠材によって囲撓される空間に配設される板材とを備えて構成した間仕切りにおいて、前記縦支柱に、縦枠材の見付け面部に当接する状態で補強縦材を取付けたことを特徴とする間仕切りの補強構造。
【請求項２】
縦支柱は、下端縁部が床面に固定される床レールに支持され、上端縁部が天井面には至らない自立型のものであり、補強縦材は下端縁部が床面に支持されていることを特徴とする請求項１記載の間仕切りの補強構造。
【請求項３】
補強縦材は、縦支柱に固定される補強縦支柱と、該補強縦支柱に取り付けられる補強縦枠材とを備えて構成されていることを特徴とする請求項１または２記載の間仕切りの補強構造。
【請求項４】
補強縦材の床面への支持は、補強縦支柱の下端縁部が床面に固定される支持金具を介して床面に支持されることでなされていることを特徴とする請求項３記載の間仕切りの補強構造。
【請求項５】
補強縦材と床レールとのあいだは、縦枠材の見付け面部が床レールに対して見込み方向に延出していることで隙間が形成され、該隙間は、上端縁部が縦枠材の下端縁部に当接する状態で床レールに固定される補助金具を介して塞がれていることを特徴とする請求項２乃至４の何れか１記載の間仕切りの補強構造。
【発明の詳細な説明】
【技術分野】
【０００１】
本発明は、建造物の室内空間を仕切るため建て付けられる間仕切りの補強構造の技術分野に関するものである。
【背景技術】
【０００２】
今日、建造物の室内空間を仕切るため、間仕切りを建て付けることが試みられるが、このような間仕切りを、床面から天井面にまで至る構成にした場合、該間仕切りは、上下両持ち状になって床面側だけでなく天井面側からの支持も受けた構造になって強度的に強いものにすることができるが、天井面にまでは至らない所謂自立型のものにした場合、床面側からだけの片持ち状の支持構造となり、どうしても強度的に弱いものになる。特に、間仕切りが天井部にまで至らない自立型のものである場合に、前記強度的に弱いことに加え、上端側部位が押さえのない遊端構造になるため前後方向に振れ（揺れ）易いものになって安定性に欠けるという問題がある。
そこでこのような間仕切りの強度アップを図るため、間仕切りの左右方向中間部に袖パネル部を見込み方向（前後方向）に突出するようにして設けることが試みられている（例えば特許文献１参照。）。
【先行技術文献】
【特許文献】
【０００３】
【特許文献１】特開２０１３−９６１３３号公報
【発明の概要】
【発明が解決しようとする課題】
【０００４】
ところが前記袖パネル部を設けることで強度アップを図ったものの場合、該袖パネル部が邪魔になって室内の有効空間が狭くなるだけでなく、袖パネル部に人がぶつかったりする等の問題があり、ここに本発明の解決すべき課題がある。
【課題を解決するための手段】
【０００５】
本発明は、上記の如き実情に鑑みこれらの課題を解決することを目的として創作されたものであって、請求項１の発明は、左右方向に間隔を存する状態で床面側から立設する複数の縦支柱と、該縦支柱に支持される状態で設けられる横架材と、これら縦支柱、横架材に組み付けられる縦横の枠材と、これら縦横の枠材によって囲撓される空間に配設される板材とを備えて構成した間仕切りにおいて、前記縦支柱に、縦枠材の見付け面部に当接する状態で補強縦材を取付けたことを特徴とする間仕切りの補強構造である。
請求項２の発明は、縦支柱は、下端縁部が床面に固定される床レールに支持され、上端縁部が天井面には至らない自立型のものであり、補強縦材は下端縁部が床面に支持されていることを特徴とする請求項１記載の間仕切りの補強構造である。
請求項３の発明は、補強縦材は、縦支柱に固定される補強縦支柱と、該補強縦支柱に取り付けられる補強縦枠材とを備えて構成されていることを特徴とする請求項１または２記載の間仕切りの補強構造である。
請求項４の発明は、補強縦材の床面への支持は、補強縦支柱の下端縁部が床面に固定される支持金具を介して床面に支持されることでなされていることを特徴とする請求項３記載の間仕切りの補強構造である。
請求項５の発明は、補強縦材と床レールとのあいだは、縦枠材の見付け面部が床レールに対して延出していることで隙間が形成され、該隙間は、上端縁部が縦枠材の下端縁部に当接する状態で床レールに固定される補助金具を介して塞がれていることを特徴とする請求項２乃至４の何れか１記載の間仕切りの補強構造である。
【発明の効果】
【０００６】
請求項１の発明とすることにより、間仕切りは、縦支柱に取り付けられる補強縦材により補強されることになって、従来のように中間に袖パネル部を用いないでの補強をすることができる。
請求項２の発明とすることにより、床レールに支持される縦支柱が天井面にまでは至らない自立型の間仕切りであっても、床面に支持される補強縦材による補強がなされることになって、確実な強度アップが図れることになる。
請求項３の発明とすることにより、補強縦材が、縦支柱に固定される補強縦支柱と、該補強縦支柱に取り付けられる補強縦枠材とにより構成されている結果、補強縦材をより強いものにできることになって間仕切りの一層の強度アップが図れることになる。
請求項４の発明とすることにより、補強縦材は、補強縦支柱の下端縁部が床面に固定される支持金具を介して床面に支持されることで下端縁部の補強がなされる結果、補強縦材の補強が床面から直接支持されたものとなって補強強度の向上が図れることになる。
請求項５の発明とすることにより、補強縦材を設けたことにより、該補強縦材と床レールのあいだに隙間が形成されることになるが、この隙間が、上端縁部が縦枠材の下端縁部に当接する状態で床レールに固定される補助金具により塞がれることになる結果、該補助金具による縦枠材側の補強支持もできることになって、間仕切りの更なる補強を達成できることになる。
【図面の簡単な説明】
【０００７】
【図１】間仕切りの正面図である。
【図２】間仕切りの縦横の補強材を分解した状態を示す斜視図である。
【図３】間仕切りの横断面図である。
【図４】（Ａ）（Ｂ）は間仕切りの横架材部位の縦断面図、縦支柱の下端縁部位の縦断面図である。
【図５】縦支柱部位の要部縦断面図である。
【図６】（Ａ）（Ｂ）は補強横架材を取り付けた状態を示す要部縦断面図、補強横枠材を取り付けた状態を示す要部縦断面図である。
【図７】（Ａ）（Ｂ）は補強縦支柱を縦支柱に固定した状態を示す部位の要部横断面図、補強縦枠材を補強縦支柱に固定した状態を示す部位の要部横断面図である。
【図８】縦支柱の下端部部位の横断平面図である。
【図９】（Ａ）（Ｂ）（Ｃ）は補助金具取付け状態を示す分解斜視図、支持金具取付け状態を示す分解斜視図、支持金具取付け部位の要部横断面図である。
【図１０】端間仕切り部が設けられた状態の補強縦部材の上端部位の縦断面図である。
【発明を実施するための形態】
【０００８】
以下、本発明の実施の形態について、図面に基づいて説明する。図面において、１はビル等の建造物の室内空間を仕切るため建て付けられる間仕切りであって、該間仕切り1は、床面Ｆに設けられる床レール２に対して見付け方向（左右方向）に間隙を存して複数の縦支柱（縦方向の骨材）３が立設され、該縦支柱３間にガラス板等の薄板状の板材４が組込まれたものとして構成されるが、上端縁部については天井面Ｈから離間した（天井面Ｈよりも低くなった）自立型のものとして構成されている。そして本実施の形態の間仕切り１は、左右端縁部が躯体壁部に支持されない（取付けられない）ものであるため、左右両端縁部には、見込み方向（前後方向）互いに逆側に向けて延出した端間仕切り部１ａが設けられたものになっているが、本発明は、このような構成に限定されるものではない。
【０００９】
前記縦支柱３はＣ型の型材で構成され、左右の見込み面部３ａの下端縁部が切り欠かれていることで見付け面部３ｂが床レール２を前後方向から跨ぐ状態で外嵌した構成になっているが、縦支柱３には、縦枠材５の嵌合溝部５ｂが外嵌組み込みされているが、縦枠材５には、板材４の左右端縁部を嵌合（嵌入）組み込みして支持するための支持溝部５ａが、溝底面部５ｅを前記嵌合溝部５ｂの溝底面部と共通する状態で形成されている。
この場合に図３に示すように、左右方向中間部位の縦支柱３に対しては、縦枠材５が左右方向両側（見付け方向両側）から嵌合組み込みされている。
これに対し、左右方向端縁部部位の縦支柱３のうち、端間仕切り部１ａが設けられるとは反対側に後述する補強縦材１７が設けられることになる縦支柱３（図３の右側端の縦支柱３）については、板材４を嵌合支持するため前記縦枠材５が左右方向内側から組込みれる一方、外側からは支持溝部のない縦枠材６が組込まれている。
一方、左右方向端縁部部位の縦支柱３のうち、端間仕切り部１ａが設けられる側の縦支柱３（図３の左側端の縦支柱３）については、支持溝部５ａが形成された縦枠材５と、支持溝部のない縦枠材６とが前後方向から嵌合組込みされた構造になっている。
そして本実施の形態においては、隣接する縦枠材５、６または５、６間に、縦支柱３の面部が溝底面部になる状態で凹溝状の縦目地Ｘが形成された構成となっている。
【００１０】
一方、隣接する縦支柱３の上端縁部間には、冂字形をした横架材（横方向の骨材）７の左右端縁部が左右の見込み面部３ａに突き当てられた状態で、Ｌ字形をしたコーナー金具８を介して縦支柱３と横架材７とが一体的に固定され、これによって縦支柱３と横架材７とにより縦横に一体化された枠組み（骨組み）構造になっているが、横架材７に対して、上側からは前記縦枠材５と同様、支持溝部９ａを備えた天井面Ｈ側の第一の横枠材（笠木枠材）９の嵌合溝部９ｂが外嵌組み込みされる一方で、下側からは板材４を取り付けるため係脱自在な押し縁部１０ｃを備えた第二の横枠材１０の嵌合溝部１０ｂが外嵌組み込みされている。尚、１０ａは板材４を嵌合組込みするため押し縁部１０ｃを組み付けた状態にすることで形成される支持溝部である。
また床レール２には、左右の縦枠材５に左右両端縁部が突き当てられるようにして上側から外嵌組み込みされる第三の横枠材１１が設けられている。そして板材４は、四周枠構造を構成する縦枠材５（または６）、第二、第三の横枠材１０、１１の支持溝部５ａ、１０ａ、１１ａに嵌合組込みされることになる。
因みに第一横枠材９については、第一横枠材９を横架材７に固定するビス１６ｅを塞ぎ材１５で目隠しするため支持溝部９ａが設けられたものを採用したが、第一横枠材９が上側から視認されないくらい高い位置に配されるものである場合には、そのような配慮は必要なく、このような場合には支持溝部のないもの、例えば縦枠材６と同様のものを採用してもよいことは勿論である。
【００１１】
そして本実施の形態においては、各縦枠材５、６、各横枠材９、１０、１１は、縦支柱３、横架材７に外嵌取付けされた状態になっているが、これら各縦枠材５、６、各横枠材９、１０、１１は、縦支柱３、横架材７の見込み面部３ａ、７ａ、見付け面部３ｂ、７ｂに対して見込み方向および見付け方向に間隙（空間、スペース）を存する状態でそれぞれ見込み面部、見付け面部が形成されており、これによって縦支柱、横架材に対して、各対応する枠材が中空状になる状態で組み付けられているが、これら面部については、以降、必要がある場合に引出符号をつけて説明をする。
【００１２】
次に、この様に構成された間仕切り１の補強構造について具体的に説明をするが、まずは横架材７に補強横材１２を設けた場合の補強構造について説明する。
本実施の形態において補強横材１２は、横架材７の一方の見付け面部７ａ側に設けられたものとして説明するが、これに限定されず、前後両側の見付け面部７ａに設けたものであってもよい。さらに補強横材１２を取り付ける場合に、左右両端部位の縦支柱３のうち、前記端間仕切り部１ａが突出する側の縦支柱（図３の左側の縦支柱）３部位については、端間仕切り部１ａがあることで補強横材１２をここまで延出できないが、反対側の縦支柱３部位については端間仕切り部１ａがないので、該縦支柱３部位まで補強横材１２を延出したものとして構成することができる。
【００１３】
そして本実施の形態の補強横材１２は、補強横架材（補強骨材）１３と補強横枠材１４とを用いて構成されているが、補強横架材１３は、見込み方向（前後方向）外側が開口したＣ型の型材で形成されたものであり、溝底面部となる見付け面部１３ａが第一横枠材９の見付け面部９ｃに突き当てられた（当接した）状態で、該見付け面部１３ａ、第一横枠材９の見付け面部９ｃおよび嵌合溝部９ｂの溝側面部９ｄを貫通したビス１６を横架材７の見付け面部７ａに螺入することで補強横架材１３は横架材７に一体的に固定される構成になっているが、本実施の形態では、上側に配される第一横枠材９の見付け面部９ｃが、下側に配される第二横枠材１０の見付け面部１０ｄに対して前後方向手前側に突出した（はみ出た）構造になっているため、補強横架材１３の見付け面部１３ａと第一横枠材９の見込み面部９ｃとが当接する構成にしたものであって、補強横架材１３の見付け面部１３ａを、第二横枠材１０の見付け面部１０ｄに当接するように構成してもよく、さらには第一、第二の横枠材９、１０の見付け面部９ｃ、１０ｄの両者に当接するように構成してもよいことは言うまでもない。
このように横架材７に固定される補強横架材１３としては、間仕切りの全幅に亘って長い一本の長尺材を用いることが強度上好ましいと言えるが、間仕切り１が左右方向に長い場合、中間で分断（切断）したものを採用することができ、その場合に、左右方向中間の縦支柱３部位で分断したものでなく、該縦支柱３に対して左右方向に越える長尺材、つまり縦支柱３を中間に挟んで見付け方向両側に至るものとすることで、間仕切り１が縦支柱３部位で折れ曲がることに対する補強を図ることができることになる。このことは後述する補強横枠材についても同様である。
【００１４】
一方、前記補強横枠材１４は、本実施の形態では前記縦枠材５と同様の形状をしているため、支持溝部１４ａと嵌合溝部１４ｂとを備えた構造になっており、嵌合溝部１４ｂを前後方向手前側から補強横架材１３に外嵌した状態で、両溝面部１４ａ、１４ｂに共通の溝底面部１４ｃから補強横架材１３の見付け面部１３ａ、第二横枠材１０の見付け面部１０ｄにビス１６ａが螺入されており、これによって、補強横枠材１４は補強横架さ材１３に一体的に固定されている。勿論、補強横枠材１４を、ビス長を長くして横架材７に固定しても本発明を実施することができる。因みにビス１６、１６ａの螺入位置は、左右方向に位置ずれした状態になるよう設定されているが、これに限定されないものであることは勿論である。
【００１５】
次に間仕切り１の縦支柱３に補強縦材１７を設けた構成について説明をする。
この場合に補強縦材１７は、補強横材１２が設けられた側に設けたものになっているが、これに限定されないものであることは勿論であって、必要において少なくとも一方側に設けたものであればよく、また縦支柱３の全てに補強縦材１７を設ける必要はなく、要求される強度に対応して選択された縦支柱３に設けたものとして実施できることは言うまでもない。
【００１６】
前記補強縦材１７は、縦支柱３に固定される補強縦支柱（補強骨材）１８と、該補強縦支柱１８に取り付けられる補強縦枠材１９とを備えて構成されている。前記補強縦支柱１８は、見込み方向外側が開口したＣ型の型材で形成されたものであり、溝底面部となる見付け面部１８ａが縦枠材５の見付け面部５ｃに突き当てられた（当接した）状態で、該見付け面部１８ａから左右縦枠材５間に形成される縦目地Ｘ部位を通って縦支柱３の見付け面部３ｂにビス１６ｂを螺入することで、補強縦支柱１８が縦支柱３に一体的に固定されている。
【００１７】
一方、補強縦枠材１９は、前記縦枠材５と同様のものを採用している（これに限定されないことは言うまでもない。）が、嵌合溝部１９ｂを補強縦支柱１８に外嵌した状態で、支持溝部１９ａの溝底面部１９ｃから螺入したビス１９ｄを補強縦支柱１８の見付け面部１８ａに螺入することで補強縦枠材１９の補強縦支柱１８に対する取付け固定ができるが、ビス１９ｄを長いものにして縦支柱３にまで螺入する構成にしても実施することができる。この場合に、ビス１６ｂ、１９ｄについても上下方向に位置ずれしたものとして構成しているが、これに限定れないことは言うまでもない。
【００１８】
さらに補強縦支柱１８の下端縁部には、有底筒状の支持金具２０が内嵌しており、該支持金具２０の底面部２０ａから螺入するビス２０ｂを介して支持金具２０が床面Ｆに固定されているが、該支持金具２０は、さらにビス２０ｃを介して補強縦支柱１８に固定され、このようにすることにより、補強縦支柱１８の床面Ｆに対する固定支持がなされている。
また本実施の形態では、縦枠材５に当接する状態で補強縦材１７を設けたことにより、該補強縦材１７と床レール２とのあいだには隙間が形成されたものとなり、そこで本実施の形態では、冂字形をした補助金具２１の跨面部２１ａを床レール２に当接した状態で、該跨面部２１ａをビス２１ｂを用いて床レール２に固定する構成としており、これによって前記隙間は補助金具２１により塞がれたものとなっているが、該補助金具２１は、上端縁部が縦支柱３および縦枠材５の下端縁部に当接する状態で組み込まれるため、縦支柱３、縦枠材５の下端縁部に対する床面Ｆからの支持を受けることができるようになっている。尚、２ａは床レール２を床面Ｆに固定するためのビスである。
【００１９】
叙述の如く構成された本実施の形態において、間仕切り１は、左右方向に間隔を存する状態で床面Ｆ側から立設する複数の縦支柱３と該縦支柱３に支持される状態で設けられる横架材７とにより縦横枠の構造が形成され、これら縦支柱３、横架材７に組み付けられる縦横の枠材５、９、１０、１１と、これら縦横の枠材５、９、１０、１１によって囲撓される空間に配される板材４とを備えて構成されたものになっているが、この場合に、補強縦材１７は、縦枠材５の見付け面部５ｃに当接する状態で、縦支柱３にまで螺入するビス１６ｂを介して該縦支柱３に固定支持されているため、間仕切り１を、従来のように左右方向中間部位に立設する縦支柱３から袖パネル部を延設して補強するような必要性が回避され、例えば天井面Ｈが高く、床面Ｆと天井面Ｈとのあいだが広くあいた室内空間を間仕切りしたような場合において、間仕切り１を、中間に袖パネル部を設けたものにしない、あるいは袖パネル部の数を少なくしたものにしても必要な強度を確保できることになって、間仕切り１で仕切った室内空間を袖パネル部による邪魔がない、あるいは低減された状態にして有効に使うことができる。
【００２０】
しかもこの場合に、縦支柱３を、下端縁部が床面Ｆに固定される床レール２に支持され、上端縁部が天井面Ｈには至らない自立型のものとしたときに、補強縦材１２についても、下端縁部が床面Ｆに支持された自立型のものとなる結果、間仕切り１の強度アップを確実に測ることができる。
そのうえこのものでは、補強縦材１７が、縦支柱３に固定される補強縦支柱１８と、該補強縦支柱１８に取り付けられる補強縦枠材１９とを備えたものとして構成されている結果、間仕切り１は、床面Ｆからの支持が、縦支柱３と補強縦支柱１８による二重の支持構造となって補強縦材１７をより強いものにでき間仕切り１の一層の強度アップが図れることになる。
【００２１】
この場合に、補強縦材１７の床面Ｆへの支持は、補強縦支柱１８の下端縁部が床面Ｆに固定される支持金具２０を介して床面Ｆに支持されることになるため、補強縦材１７の補強が床面Ｆから直接支持されたものとなって補強強度の向上が図れると共に、補強縦材１７の床面Ｆへの支持構造が簡単になる。
また、補強縦支柱１８と床レール２とのあいだには、補強縦材１７を設けたことにより隙間が形成されることになるが、この隙間が、上端縁部が縦枠材５の下端縁部に当接する状態で床レール２に固定される補助金具２１により塞がれることになる結果、該補助金具２１による縦枠材５側の補強支持もできることになって、間仕切り１の更なる補強を達成できることになる。
さらにまた、このものは補強縦材１７の上端部が補強横材１２に当接した構成となっており、この結果、縦支柱３、横架材７部位がそれぞれ補強縦材１７、補強横材１２により補強されることになることに加え、補強縦材１７と補強横材１２とが当接することによる支持構造による補強も加味することになって、一段と優れた補強構造を提供できることになる。
【００２２】
因みに本実施の形態においては、前記補強横材１２が設けられた構成になっているが、この補強横材１２についても独自の効果がある。つまりこのものでは、前記第一横枠材９に、横架材７にまで螺入するビス１６を介して固定支持される補強横材１２が取付けられているため、間仕切り１の横架材７部位での補強ができることになる。
しかもこのものでは、縦支柱３の上端縁部に設けられる横架材７に補強横材１２が取付けられたものになっており、この結果、このような自立型の間仕切り１において、遊端状になった上端縁部での補強が補強横材１２を用いて確実にできることになって、間仕切り１の実質的な補強がなされることになる。
さらにこのものでは、補強横材１２は、間仕切り１の左右幅略全体に亘る長尺物として構成されているため、左右方向中間位置に立設する中間位置の縦支柱３に対して左右方向に越えたものとなり、この結果、折れ曲がりやすい左右方向中間位置の縦支柱３部位での強度補強ができることになる。
【００２３】
尚、本発明は前記実施の形態のものに限定されないことは勿論であって、補強横材がないもの、つまり補強縦材だけで間仕切りを補強することができ、この場合、図１０の第二の実施の形態のように、補強縦材１７は、上端縁部を間仕切り１の上端縁部にまで至ったものになると共に、該上端縁部を、塞ぎ材２２により塞いだものとしており、このようにしても本発明を実施することができる。
因みにこのものでは、補強縦支柱１８を間仕切り１の上端縁部にまでは至らない短いものとする一方、補強縦枠材１９を間仕切り１の上端縁部にまで至るものとし、そして塞ぎ材２２をＬ字形の取付け金具２２ａを用いてビス２２ｂで固定した構成としている。
【産業上の利用可能性】
【００２４】
本発明は、建物の室内空間を仕切る間仕切りの補強構造として利用することができる。
【符号の説明】
【００２５】
１  間仕切り
２  床レール
３  縦支柱
３ａ  見込み面部
３ｂ  見付け面部
４  板材
５  縦枠材
５ｃ  見付け面部
７  横架材
７ａ  見込み面部
７ｂ  見付け面部
９  第一横枠材
９ｃ  見付け面部
１２  補強横材
１３  補強横架材
１３ａ  見付け面部
１４  補強横枠材
１７  補強縦材
１８  補強縦支柱
１８ａ  見付け面部
１９  補強縦枠材
Ｆ  床面
Ｈ  天井面
【図１】
2020105861.tif 000003
【図２】
2020105861.tif 000004
【図３】
2020105861.tif 000005
【図４】
2020105861.tif 000006
【図５】
2020105861.tif 000007
【図６】
2020105861.tif 000008
【図７】
2020105861.tif 000009
【図８】
2020105861.tif 000010
【図９】
2020105861.tif 000011
【図１０】
2020105861.tif 000012